(57)【要約】【課題】ボンド型アンカーの残存引張り力を効率的に計測できる方法を提供する。【解決手段】緊張定着後に引張り部２にグラウト５-2を充填してテンドン４を拘束してなるボンド型アンカーの残存引張り力をモニタリングするにあたって、はじめに、テンドン４に添うように荷重計測用PC鋼材１０を張設しておく。このとき、引張り部領域において計測用PC鋼材１０をシースで被覆しておき、グラウト５-2で拘束されない無拘束状態が確保されるようにする。そして、計測用PC鋼材１０に作用する引張り力をモニタリングして、その計測値に基づいて地盤の変化量を算出し、算出した前記地盤変化量に基づいてボンド型アンカーの残存引張り力の変化量を求める。このようにPC鋼材などの計測用引張り材をテンドンに添わせて張設し、アンカー設置後にその計測用引張り材の引張り力をモニタリングすることで、ボンド型アンカーの残存引張り力を効率的に計測できる。【選択図】図７
2015113615.tif 000002
【特許請求の範囲】
【請求項１】
緊張定着後に引張り部にグラウトを充填してテンドンを拘束してなるボンド型アンカーの残存引張り力確認方法であって、前記テンドンに添うように計測用引張り材を張設し、前記引張り材に作用する引張り力を計測する、ことを特徴とするボンド型アンカーの残存引張り力確認方法。
【請求項２】
引張り部領域の全体または一部で無拘束状態となるように前記計測用引張り材を張設する、ことを特徴とする請求項１に記載のボンド型アンカーの残存引張り力確認方法。
【請求項３】
引張り部領域において異なる自由長を有するように、複数の計測用引張り材を前記テンドンに添わせて張設する、ことを特徴とする請求項１又は２に記載のボンド型アンカーの残存引張り力確認方法。
【請求項４】
前記計測用引張り材に作用する引張り力を計測し、その計測値に基づいて、ボンド型アンカーの残存引張り力の変化量を求める、ことを特徴とする請求項１乃至３のいずれかに記載のボンド型アンカーの残存引張り力確認方法。
【請求項５】
前記計測用引張り材に作用する引張り力を計測し、その計測値に基づいて地盤の変化量を算出し、算出した前記地盤の変化量に基づいてボンド型アンカーの残存引張り力の変化量を求める、ことを特徴とする請求項１乃至４のいずれかに記載のボンド型アンカーの残存引張り力確認方法。
【請求項６】
緊張定着後に引張り部にグラウトを充填してテンドンを拘束してなるボンド型アンカーの残存引張り力確認システムであって、
前記テンドンに添うように張設された計測用引張り材と、
前記計測用引張り材に作用する荷重を計測するための荷重計測手段と、を具備し、
アンカーの引張り部領域の全体または一部で無拘束状態となるように、前記計測用引張り材が張設されている、ことを特徴とするボンド型アンカーの残存引張り力確認システム。
【請求項７】
緊張定着後に引張り部にグラウトを充填してテンドンを拘束してなるボンド型アンカーが設置された地盤や構造物内の変位を確認する方法であって、前記テンドンに添うように計測用引張り材を張設し、前記引張り材に作用する引張り力を計測する、ことを特徴とする変位確認方法。
【発明の詳細な説明】
【技術分野】
【０００１】
本発明は、岩盤PS工などとして用いられているボンド型アンカーの残存引張り力確認に関する技術であり、具体的には、計測用の引張り材を添わせて張設し、アンカー設置後に計測用引張り材に作用する引張り力をモニタリングすることにより、ボンド型アンカーの残存引張り力を効率的に計測する技術に関するものである。
【背景技術】
【０００２】
グラウンドアンカーは、作用する引張り力を適当な地盤に伝達する機能をもったシステムで、図１に示すようにアンカー体５１、引張り部５２、アンカー頭部５３から構成される。通常、地表からボーリングを行い、ＰＣ鋼材などからなるテンドンの挿入とグラウト注入により、地中の適当な地盤にアンカー体５１を造成し、地表部のアンカー頭部５３からテンドンを介して引張り力をアンカー体５１および地盤に作用させた状態で供用される。この時、引張り部５２のテンドンは、グラウトで拘束されておらず、外力の変化などによる地盤の変形に追随できる構造を有している。
供用中のグラウンドアンカーが十分な機能を発揮するためには、作用する引張り力（残存引張り力）を維持する必要があるが、維持管理において図２に示すように荷重計などを用いた引張り力のモニタリングが行われている。このモニタリングにより残存引張り力の増加や減少が確認された場合には、その原因を把握するとともに、再緊張や緊張力緩和、さらには必要に応じて増し打ちなどの対策が実施される。
現在、グラウンドアンカーは、構造物や斜面の安定、掘削地盤の支保などに広く用いられており、構造物の安定では、図３に示すように、ダム、建物の基礎、擁壁や橋脚・鉄塔などに用いられている。
【０００３】
一方、引張り力の導入後に引張り部にグラウト注入を行うことにより、引張り部のテンドンの全体または一部を拘束するタイプのグラウンドアンカーは、「ボンド型アンカー」と呼ばれ、岩盤ＰＳ工やダムなどの岩盤上に構築された大型構造物の安定に用いられている。このボンド型アンカーは、供用中に地盤の変形がほとんど発生しない岩盤などに用いられることが多いが、一般的なグラウンドアンカーに比べて以下のような特徴を有している。
【０００４】
・予めアンカーに引張り力を作用させ、地盤および構造物を締め付けた状態でテンドンを拘束することにより、地山内の荷重変化時に地盤を変形させない機能を有している。
・引張り部（自由長部）テンドンの周囲がグラウトで保護されるため、十分な防食効果が期待できる。これによりテンドンの防食構造を簡易なものにすることができる。また、同等の防食を施した場合は、防食性能がアップする。
・引張り力が作用した状態でテンドンを拘束するため、残存引張り力の変動がほとんどない。
・アンカー頭部に作用する応力を拘束した引張り部に分散させることにより、アンカー頭部に応力が集中することを防ぐことができる。
【発明の概要】
【発明が解決しようとする課題】
【０００５】
ボンド型アンカーは、設計で期待する引張り力（設計アンカー力）を予め作用させた上で引張り部をグラウトで拘束することにより、岩盤や構造物を締め付けた状態を保持して安定させるため、一般的には防食性能が優れ、維持管理、特に残存引張り力のモニタリングが不要とされている。しかし、構造物に設計アンカー力以上の外力が作用した場合には、アンカーおよび構造物に変形が生じて残存引張り力が増加する。この現象は、アンカーの防食性能を低下させるとともに、場合によっては引張り材の破断などによりアンカーを破壊する可能性もある。また、想定以上の外力の作用は、構造物の安定度の低下に繋がる。このため、従来は想定する外力に対して十分な余裕を持ったアンカーの設計が行われている。
【０００６】
これに対しては、アンカーの残存引張り力のモニタリングを実施することにより、現象を発生とともに把握することができ、適切な対策を実施することができる。また、地盤や構造物内の変位を把握することができれば、地盤や構造物の動きをより的確にとらえることができる。しかし、ボンド型アンカーでは、グラウトにより引張り部のテンドンを拘束しているため、引張り力の変化がアンカー頭部へ伝達されず、図２に示すような従来のアンカー頭部に設置した荷重計による計測では残存引張り力を確認することができないという問題があった。
【０００７】
本発明は、以上の課題を解決するためになされたものであり、ボンド型アンカーの残存引張り力を効率的に計測できる方法およびシステムを提供することを目的とするものである。また、本発明の他の目的は、この技術を応用して地盤や構造物内の変位を確認できるようにすることにある。
【課題を解決するための手段】
【０００８】
この課題を解決するため、ボンド型アンカーの残存引張り力を効率的に計測する方法として、引張り力の増減と密接な関係がある地盤の変形から荷重を求める方法に着目した。
【０００９】
ここでは、一般的なグラウンドアンカーとボンド型アンカーのモデルを用いて、外力の変化と残存引張り力の変動について、それぞれの関係を確認する。
【００１０】
図４に示す一般的なグラウンドアンカーにおいて、外力の増加により地盤Ａが変形しようとする場合、その力がアンカーに作用している引張り力以下の場合は、変形が抑止された状態でつり合う。このため、テンドン５４に変形が生じず、残存引張り力も増加しない。しかし、地盤が変形しようとする力がアンカーに作用している引張り力を超えると、つり合うことができなくなり地盤の変形と共にテンドン５４が伸びる。そして、テンドン５４が伸ばされることにより、残存引張り力が増加して、変形しようとする力とつり合って安定する。この時、テンドン５４に作用している応力は、図４下側に示すように、実線から破線の状態に変化する。一般的なグラウンドアンカーの引張り部５２ではテンドンが拘束されていないため、地盤Ａにおいてテンドン５４に作用した引張り力の変化がアンカー頭部５３に伝わり、アンカー頭部５３に設置した荷重計により計測することができる。
【００１１】
図５に示す全長ボンド型アンカーの場合も、地盤Ａが変形しようとする力がアンカーに作用している引張り力以下であれば、一般的なグラウンドアンカー同様、変形は抑止されて、テンドン４に変形が生じず残存引張り力が増加しない。また、地盤が変形しようとする力がアンカーに作用している引張り力を超えると、つり合いが崩れ、地盤の変形と共にテンドン４が伸び、残存引張り力が増加するが、これにより変形しようとする力とつり合って安定する。しかし、図５に示すような全長ボンド型アンカーでは、引張り部２のテンドン４がグラウト５-2により拘束されているため、テンドン４に作用する引張り力の伝達が行われず、地上より確認することができない。
【００１２】
図６のような構造物区間のテンドンを拘束した部分ボンド型アンカーにおいても、つり合いの原理、引張り力の伝達については、上述した全長ボンド型アンカーと同様である。
【００１３】
以上より、一般的なグラウンドアンカー、全長ボンド型アンカー、および部分ボンド型アンカーは、共に、地盤が変形しようとする力とのつり合いが保てなくなった時に残存引張り力が増加し、その増加量は変形量とテンドン自由長の関係として、以下の式で表すことができる。
2015113615.tif 000003
【００１４】
そこで本発明では、上記の（式１）〜（式３）の関係に着目し、図７に示すようにボンド型アンカーに一般的なグラウンドアンカーのテンドン構造を有した引張り材（たとえばPC鋼材）を添わせて荷重計測用に用いることにより、ボンド型アンカーの残存引張り力の確認を可能にしている。
【００１５】
すなわち、前述した従来技術の課題は、下記の（１）〜（６）に記載のボンド型アンカーの残存引張り力確認方法又はシステムによって解決される。また、この技術は、下記の（７）に記載の変位確認方法に応用することができる。
【００１６】
（１）緊張定着後に引張り部にグラウトを充填してテンドンを拘束してなるボンド型アンカーの残存引張り力確認方法であって、前記テンドンに添うように計測用引張り材を張設し、前記引張り材に作用する引張り力を計測する、ことを特徴とするボンド型アンカーの残存引張り力確認方法。
【００１７】
（２）引張り部領域の全体または一部で無拘束状態となるように前記計測用引張り材を張設する、ことを特徴とする上記（１）に記載のボンド型アンカーの残存引張り力確認方法。
【００１８】
（３）引張り部領域において異なる自由長を有するように、複数の計測用引張り材を前記テンドンに添わせて張設する、ことを特徴とする上記（１）又は（２）に記載のボンド型アンカーの残存引張り力確認方法。
【００１９】
（４）前記計測用引張り材に作用する引張り力を計測し、その計測値に基づいて、ボンド型アンカーの残存引張り力の変化量を求める、ことを特徴とする上記（１）乃至（３）のいずれかに記載のボンド型アンカーの残存引張り力確認方法。
【００２０】
（５）前記計測用引張り材に作用する引張り力を計測し、その計測値に基づいて地盤の変化量を算出し、算出した前記地盤の変化量に基づいてボンド型アンカーの残存引張り力の変化量を求める、ことを特徴とする上記（１）乃至（４）のいずれかに記載のボンド型アンカーの残存引張り力確認方法。
【００２１】
（６）緊張定着後に引張り部にグラウトを充填してテンドンを拘束してなるボンド型アンカーの残存引張り力確認システムであって、
前記テンドンに添うように張設された計測用引張り材と、
前記計測用引張り材に作用する荷重を計測するための荷重計測手段と、を具備し、
アンカーの引張り部領域の全体または一部で無拘束状態となるように、前記計測用引張り材が張設されている、ことを特徴とするボンド型アンカーの残存引張り力確認システム。
【００２２】
（７）緊張定着後に引張り部にグラウトを充填してテンドンを拘束してなるボンド型アンカーが設置された地盤や構造物内の変位を確認する方法であって、前記テンドンに添うように計測用引張り材を張設し、前記引張り材に作用する引張り力を計測する、ことを特徴とする変位確認方法。
【発明の効果】
【００２３】
従来技術では残存引張り力は計測できないとされていたボンド型アンカーについて、残存引張り力の把握が可能になる。また、ボンド型アンカーの残存引張り力を把握することで、地盤や構造物内の変位を把握することが可能になり、その結果、地盤や構造物の動きを的確に把握できるようになる。
【００２４】
また、本発明に係るボンド型アンカーの残存引張り力確認方法は、テンドンに添うように計測用引張り材を張設するといった簡易な構造で達成されるので、残存引張り力の把握に必要なシステムを低コストで構築することができる。
【００２５】
さらに、計測手段である荷重計などがアンカー頭部に設置されるため、計測手段の十分な保護と維持管理が可能であり、必要に応じて新しいものと交換することも可能であるため、長期的な計測を行うことができる。
【図面の簡単な説明】
【００２６】
【図１】一般的なグラウンドアンカーを示す図である。
【図２】荷重計を備えた一般的なグラウンドアンカーを示す図である。
【図３】一般的なグラウンドアンカーの用途を示す図である。
【図４】地盤変形時における「一般的なグラウンドアンカー」の残存引張り力の変化を示す図である。
【図５】地盤変形時における「全長ボンド型アンカー」の残存引張り力の変化を示す図である。
【図６】地盤変形時における「部分ボンド型アンカー」の残存引張り力の変化を示す図である。
【図７】本発明に係る残存引張り力確認システムを備えたボンド型アンカーを示す図である。
【図８】図７のａ−ａ断面を示す図である。
【図９】本発明の他の実施形態を示す図である。
【図１０】本発明の他の実施形態を示す図である。
【図１１】図１０のａ−ａ断面を示す図である。
【図１２】本発明の他の実施形態を示す図である。
【図１３】実施例１を示す図である。
【図１４】実施例２を示す図である。
【発明を実施するための形態】
【００２７】
（ボンド型アンカー）
はじめに、図７及び図８に基づいて、本発明の適用対象であるボンド型アンカーの概略構成について説明する。図７は、本発明に係る残存引張り力確認システムを備えたボンド型アンカーの一例を示す図である。図８は、図７のａ−ａ断面を示す図である。
【００２８】
図７及び図８に示すボンド型アンカーは、アンカーの緊張定着後に引張り部２にグラウト５-2を充填してテンドン４を拘束することにより設置される。このボンド型アンカーは、図７に示すように、主としてアンカー体１と引張り部２とアンカー頭部３で構成され、アンカーの引張り力を伝達する部材としてアンカーテンドン４を具備している。
【００２９】
アンカー体１は、グラウト５-1により造成され、引張り部２からの引っ張り力を、地盤に伝達させるために設置される抵抗部分である。このアンカー体１の部位において、アンカーテンドン４にはグラウト５-1が付着しており、両者は一体化している。
【００３０】
引張り部２は、アンカー頭部３からの引張り力をアンカー体１に伝達させるために設置される部分である。引張り力の導入後において引張り部２にグラウト５-2を注入しているので、引張り部２におけるアンカーテンドン４は、本実施形態では引張り部２の全体に亘ってグラウト５-2で拘束されている。
【００３１】
アンカー頭部３は、構造物からの力を引張り力として引張り部２に伝達させるための部分であり、定着具６や支圧板７を有している。アンカー頭部３におけるアンカーテンドン４は、ナットやくさびなどにより構造物に定着される。
【００３２】
グラウト５-2により拘束されているアンカーテンドン４は、アンカーの引張り力を伝達する役割を担っており、PC鋼材などで構成されている。
【００３３】
なお、本実施形態では本発明の適用対象の代表例として全長ボンド型アンカーを引用しているが、本発明の適用対象は、図５に示すような全長ボンド型アンカーに限定されるものではなく、図６に示すような部分ボンド型アンカーに適用することも可能である。
【００３４】
（ボンド型アンカーの残存引張り力確認システム）
本発明に係る残存引張り力確認システムは、上述したようなボンド型アンカーの残存引張り力を確認するためのシステムである。残存引張り力とは、アンカーの供用時に作用しているテンドンの引張り力をいう。
【００３５】
この残存引張り力確認システムは、荷重計測用引張り材を構成するPC鋼材１０と、荷重計測手段を構成する荷重計１２を含んで構成されている。
【００３６】
荷重計１２は、荷重計測用PC鋼材１０に作用する荷重を計測する役割を担っている。
荷重計測用PC鋼材１０は、図７に示すように、アンカーテンドン４に添うように張設されている。アンカー体領域における荷重計測用PC鋼材１０には、アンカー体１のグラウト５-1が付着している。引張り部領域における荷重計測用PC鋼材１０は、筒状のシースによって周囲が被覆されている。このシースで被覆された範囲が自由長となる。
【００３７】
このようにシースで被覆されている結果、本実施形態における荷重計測用PC鋼材１０は、アンカーの引張り部領域の全体に亘って無拘束状態（すなわちグラウト５-2で拘束されていない状態）が確保されている。なお、この出願でいう「アンカー体領域」とは、アンカー長手方向におけるアンカー体１が占める範囲をいう。また、「引張り部領域」とは、アンカー長手方向における引張り部２が占める範囲をいう。本実施形態の場合では、引張り部領域の全体に亘って荷重計測用PC鋼材１０がシースで被覆されているので、引張り部領域の長さと荷重計測用PC鋼材の自由長（無拘束の長さ）が等しくなっている。
【００３８】
このように、アンカーテンドン４の方はグラウト５-2により拘束されているのに対して、荷重計測用PC鋼材１０の方は、被覆するシースにより無拘束状態が確保されているので、該PC鋼材１０に作用する応力をアンカー頭部３の側に伝達できる構造となっている。
【００３９】
（ボンド型アンカーの残存引張り力確認方法）
次に、ボンド型アンカーの残存引張り力確認方法について説明する。
【００４０】
前述したボンド型アンカーの設置において、図７に示すように、アンカーテンドン４に添うように荷重計測用PC鋼材１０を張設するととともに、このPC鋼材１０の基端側に荷重計１２を取り付ける。
【００４１】
荷重計測用PC鋼材１０は、引張り部領域の全域にわたってその周囲がシースで被覆されている。したがって、緊張定着後に引張り部２にグラウト５-2を充填すると、アンカーテンドン４が当該グラウトで拘束される一方、引張り部領域においてシースで被覆された荷重計測用PC鋼材１０は、当該領域においてグラウト５-2で拘束されていない無拘束状態が確保される。
【００４２】
ボンド型アンカーの残存引張り力の把握にあたっては、アンカー設置後において荷重計測用PC鋼材１０に作用する引張り力をモニタリングする。具体的には、荷重計測用PC鋼材１０の頭部に設置した荷重計１２で計測した荷重の増加量から地盤の変形量を算定することにより、アンカーに作用する引張り力の増加量を求めて、定着時緊張力に加算することにより、残存引張り力を算出できる。ただし、全長ボンド型アンカーの場合、テンドン自由長に相当する付着切れ長が不明であるため、残存引張り力増加の事象の確認のみを行うことができる。
【００４３】
なお、残存引張り力の具体的な算出方法については、後述する実施例において説明する。
【００４４】
（第２実施形態）
上述した実施形態では、アンカーテンドンに１本の荷重計測用PC鋼材を添わせて配置しているが、複数本の荷重計測用PC鋼材を配置する態様も採用可能である。たとえば、図９に示すように、引張り部領域において異なる自由長（無拘束の長さ）を有するように、３本の荷重計測用PC鋼材１０をアンカーテンドン４に添わせて張設する。このような異なる自由長は、異なる長さのシースで荷重計測用PC鋼材１０の引張り部領域を予め被覆しておくことで確保できる。
【００４５】
上述したように、引張り部領域において自由長の異なる複数の荷重計測用PC鋼材１０を添わせることにより、地盤が変形しようとする位置（深度）を推定することも可能である。
【００４６】
また、このように自由長の異なる複数の荷重計測用PC鋼材１０をアンカーテンドン４に添わせることで、たとえば、図９において、荷重計ＡおよびＢの計測値が増加し荷重計Ｃに変化がない場合には、区間ｂで地盤の変形が生じたことがわかる。また、たとえば荷重計Ａ、Ｂ、Ｃのすべてにおいて計測値が増加した場合には、区間ｃで地盤の変形が生じたことがわかる。
【００４７】
（第３実施形態）
本発明の第３実施形態として、引張り材をカプセルの中に収納した二重防錆タイプのボンド型アンカーテンドンに荷重計測用PC鋼材を組み込んだ例を図１０および図１１に示す。
【００４８】
図１０において、カプセル１４の内部は２つの部屋から構成されており、打設したアンカーの緊張定着後に、手前側の部屋にグラウト５-2を充填してアンカーテンドン４を拘束する構造となっている。図１１は、図１０のａ−ａ断面を示したものであるが、6本のアンカーテンドン４の中央部に、シースで被覆した荷重計測用PC鋼材１０を配置している。
【００４９】
このように複数本のアンカーテンドン４に荷重計測用PC鋼材１０を組み込んで一体化することにより、アンカーの施工性を低下させることなく荷重計測用PC鋼材の配置が可能となる。
【００５０】
なお、荷重計測用PC鋼材１０は、図１２に示すようにアンカーテンドンの周囲に添わせるように配置することも可能である。
【００５１】
以下、本発明の具体的実施例について説明する。
【実施例１】
【００５２】
2015113615.tif 000004
【実施例２】
【００５３】
さらに、本発明は、地盤や構造物内の変位を把握するための地中変位計として応用することもできる。
【００５４】
図１４に示すように、自由長の異なる４本の荷重計測用PC鋼材１０（引張り材）を束ねて設置し、それぞれのPC鋼材の引張り力の変化を荷重計Ａ〜Ｄで計測することにより、地盤の変位量とともに発生した位置（深度）を推定することができる。
【００５５】
計測において、表１のように観測された場合、地盤の変位が区間ｂで1.0−0.6＝0.4cm、区間ｃで0.6cm発生していることがわかる。
【００５６】
【表１】
2015113615.tif 000005
【符号の説明】
【００５７】
１      アンカー体
２      引張り部
３      アンカー頭部
４      アンカーテンドン（テンドン）
５      グラウト
５-1    グラウト
５-2    グラウト
６      定着具
７      支圧板
１０    荷重計測用PC鋼材（計測用引張り材）
１２    荷重計（荷重計測手段）
１４    カプセル
５１    アンカー体
５２    引張り部
５３    アンカー頭部
５４    アンカーテンドン（テンドン）
５５    荷重計
【図１】
2015113615.tif 000006
【図２】
2015113615.tif 000007
【図３】
2015113615.tif 000008
【図４】
2015113615.tif 000009
【図５】
2015113615.tif 000010
【図６】
2015113615.tif 000011
【図７】
2015113615.tif 000012
【図８】
2015113615.tif 000013
【図９】
2015113615.tif 000014
【図１０】
2015113615.tif 000015
【図１１】
2015113615.tif 000016
【図１２】
2015113615.tif 000017
【図１３】
2015113615.tif 000018
【図１４】
2015113615.tif 000019